(57)【特許請求の範囲】
【請求項１】
レジャースポーツに使用するための、部分的に設けられたクッションを備えた空気調節型靴下（１）において、
足底（２）からトップ（４）にまで達する、空気調節型のメッシュニット織布から成る、少なくとも１つの組み込まれた空気通路（３）が設けられており、しかも、脚の内側に設けられた空気通路が土踏まずに進入していることを特徴とする、空気調節型靴下。
【請求項２】
空気通路（３）が、脚の内側及び外側に位置するよう形成されている、請求項１記載の空気調節型靴下。
【請求項３】
靴下（１）の、靴紐からの圧力を受ける少なくとも足緊締域に、空気調節型の織布から成るクッション（５）若しくはパッドが装着されている、請求項１又は２記載の空気調節型靴下。
【請求項４】
靴紐からの圧力を受ける足緊締域に部分的なストレッチリブ織布が設けられており、該リブ織布が、リブニッティング形式の空気調節型の織布として形成されている、請求項１から３までのいずれか１項記載の空気調節型靴下。
【請求項５】
靴下のアキレス腱の領域及び／又はすねの領域に、空気調節型の織布から成るクッション（６，７）若しくはパッドが装着されている、請求項１から４までのいずれか１項記載の空気調節型靴下。
【請求項６】
靴下のふくらはぎの領域に、空気調節型の織布から成るクッション（８）が装着されている、請求項１から５までのいずれか１項記載の空気調節型靴下。
【請求項７】
ふくらはぎの領域のクッション（８）が、バー形、アーチ形又はスパイラル形等に配置されている、請求項６記載の空気調節型靴下。
【発明の詳細な説明】
【技術分野】
【０００１】
本発明は、例えばヨーロッパ特許第０６０６１４０号明細書、ドイツ連邦共和国特許第９０６２０１号明細書、ドイツ連邦共和国特許第１９６１８９１９号明細書、ドイツ連邦共和国実用新案第８７０１８３４号明細書又はドイツ連邦共和国実用新案第９００３３４１号明細書に基づき公知の、特にジョギング、インラインスケート又はスキー等のレジャースポーツに使用するための、部分的に設けられたクッションを備えた空気調節型靴下を目指している。
【背景技術】
【０００２】
人間の足が比較的ぴったりとした靴に収納されているあらゆる場合において、汗の量は増大される。ハイキング、フットボールゲーム又はジョギング等の足を激しく負荷する走行運動、又はスポーツサイクリングでも、通常の運動量を越えると平均以上の汗の量が生ぜしめられる。従って、靴を履く人に、外部への汗のできるだけ良好な搬出を助成する靴下を提供することが試みられている。
【特許文献１】ヨーロッパ特許第０６０６１４０号明細書
【特許文献２】ドイツ連邦共和国特許第９０６２０１号明細書
【特許文献３】ドイツ連邦共和国特許第１９６１８９１９号明細書
【特許文献４】ドイツ連邦共和国実用新案第８７０１８３４号明細書
【特許文献５】ドイツ連邦共和国実用新案第９００３３４１号明細書
【発明の開示】
【発明が解決しようとする課題】
【０００３】
靴から外部へ汗を導出するというこの要求は、本発明の特別な課題である。
【課題を解決するための手段】
【０００４】
この課題を解決するために本発明では、足底からトップにまで達する、空気調節型のメッシュニット織布から成る、少なくとも１つの組み込まれた空気通路が設けられており、しかも、脚の内側に設けられた空気通路が土踏まずに進入しているようにした。
【発明の効果】
【０００５】
調節型のメッシュニット織布から成る空気調節通路は、皮膚表面の約６０％しか被覆されず、発生する湿気の大部分は皮膚の非被覆部を介して気化し、残りは織布によって吸収され得るという利点を有している。更にこのような織布は、汗の湿気を、靴底域から靴下の自由蒸発が可能な領域にまで搬送するためにも役立つことができる。
【０００６】
本発明の構成では、靴下の両外面、つまり、靴下を履いている人の脚の外側と内側とに空気通路が設けられている。
【０００７】
また本発明では、靴下の少なくとも足緊締域に、空気調節型の織布から成るクッション若しくはパッドが装着されている。このようなクッションは、靴紐域の圧力箇所を回避するために使用することができる。それというのも、発生する負荷が大面積に配分されて、空気調節型の織布が、肌の通気及び汗の湿気の搬出のために働くからである。この場合、前記織布は、靴下の使用目的に応じて異なる密度を有することができる。
【０００８】
ここで述べておくと、例えば一方では直接的な足領域及び他方では下側のふくらはぎ域で異なる織布を使用しているスキー用靴下は公知である。スキー靴又は例えばフットボールシューズにおいてより一層良好なクッションを得るために、すねの領域にクッション若しくは補強材を設けることも公知である。
【０００９】
本発明の別の利点は請求項２以下に記載されており、例えば、ふくらはぎの領域にも空気調節型の織布から成るクッションが設けられていてよい。これらのクッションは、バー形、アーチ形、スパイラル形又は別の形式で、例えばふくらはぎを形成する構造体等として配置されていてよい。
【００１０】
本発明による靴下の特徴は、別の構成では、靴下に弾性的な織布バンドから成る、組み込まれたＸ形クロスバンデージが装着されており、前記の弾性的な織布バンドが空気調節型の織布から成っているという点にあってもよい。
【００１１】
人間の足底の様々な負荷を考慮した、解剖学的に成形されたフットベッドを形成するためには、本発明ではクッション又はパッドが、つま先域、触球域及び／又はかかと域に設けられている。
【００１２】
更に、緊締域において少なくとも部分的に、ストレッチリブ織布を、やはり空気調節型のリブニッティング形式の織布として設けることが有利であってよい。このニッティング形式の場合、織布は完全には肌に載着されないので、より多くの空気が肌に到達し得る。同時に、織布が比較的高い弾性を有しており、これにより、靴下のしわ形成を、靴下若しくは靴内の足のスリップと同様に防止するということがリブニッティング形式によって達成され、このことは、まめを形成しにくくする。
【発明を実施するための最良の形態】
【００１３】
以下に、本発明の実施例を図面につき詳しく説明する。
【００１４】
図１に全体的に符号１で示した本発明による靴下は、矢印２で示した足底から出発する空気通路３を有しており、この空気通路３はトップ４にまで達していて、空気調節型のメッシュニット織布から形成されている。この空気通路３を介して、湿気が足底域から上部に向かって導出される。このような空気通路３は、靴下の脚の内側にも設けられていてよい（詳しくは図示せず）。
【００１５】
靴下の内側については、靴下１には足緊締用クッション若しくはパッド５が装着されており、すねの領域にはすね用クッション６が装着されている。この場合は、相応の輪郭が単に破線で示されているに過ぎない。
【００１６】
足緊締用クッション５もすね用クッション６も空気調節型の織布から成っており、この場合、それぞれ異なる織布密度が規定されていてよい。
【００１７】
アキレス腱の領域もクッション７により保護されている。このクッション７も、靴上縁部の摩擦によりこの領域に生ぜしめられる恐れのある擦過傷及びまめを防止するために、空気調節型の織布から成っている。
【００１８】
図面から判るように、ふくらはぎの領域にもクッションが設けられており、図示の実施例ではバーパッド８が設けられている。但し、本発明はこの形状に限定されるものではなく、アーチ形等の別の形状が規定されていてもよい。
【００１９】
図面から判るように、靴下１にはＸ形クロスバンデージ９も装着されている。このＸ形クロスバンデージ９は、弾性的な温度調節型の織布から形成されており、脚及び足間の移行域における運動機構を支持する。
【００２０】
解剖学的に成形されたフットベッドを保証するためには、靴下の底に付加的なクッション又はパッド１０，１１が、特にかかとの領域、足の触球の領域及び／又はつま先の領域に装着されている。
【００２１】
図２〜７には、本発明による靴下の変化実施例が示されている。即ち、図２はＸ形クロスバンデージを備えたテニス用靴下、図３は足首の関節が保護された日常用靴下、図４はサイクリスト用の靴、図５は図１に拡大して示したスキー用靴下、図６はランニング用靴下及び図７は特にスケーター用に構想されて製作された靴下を示している。クッション用織布、パッド及びその他の構成は、靴下の種類に応じて図１に示した実施例と比較して僅かに異なっており、ここでは特に足首の関節のＸ形クロスバンデージも重要である。
【００２２】
図８には付加的なバンデージ、即ち、くるぶしの上位の環状バンデージ１２と、その下の別のバンデージ１３とが示されており、これらのバンデージは、それぞれ異なる伸長性と弾性とを有していてよい。付加的に、触球及びかかと間の足底を支持する斜めバンデージ１４が設けられていてよいということが示されており、このことは多くの場合に走行及び支持快適性を高める。
【００２３】
更に述べると、靴下のクッションは、ウール又は木綿で被覆された中空繊維から成っていてよい。この中空合成ヤーンは、特に著しく衝撃及び圧力緩衝性である。
【００２４】
フットベッドは、特に柔軟性があり且つ摩耗／肌摩耗を防ぐ、被覆されたマイクロ繊維から編まれている。つま先及びかかとの領域でも、要求に応じてフットベッドは１００％マイクロ繊維から成っている。合成ヤーン、コンパウンド織布及びヤーン又は別の材料から成るアキレス腱プロテクタは、アキレス腱を保護する。バンデージは、高い安定性を得るために、弾性ヤーンと非弾性ヤーンとからも織られるか又は編まれる。
【００２５】
空気通路内のメッシュ織布／ニットは、空気調節型の中空室合成ヤーンから成っており、この中空合成ヤーンも、別の合成ヤーン、ウールヤーン及び／又は木綿ヤーンによって被覆される。このコンパウンドヤーンからは、湿気を吸収してこの湿気を搬送する織布／ニットが得られる。このメッシュ織布／ニット（空気通路）は、肌を完全に覆うのではなく、要求に応じて肌部分を被覆しないので、汗滴が肌に生じる可能性がある。この場合、この汗滴はメッシュに滴下して、このメッシュから搬出される。増大された気化寒さ／冷却が生ぜしめられる。異なるフットゾーンに設けられたマイクロ繊維パッド、ポリエステルパッド及びアクリルパッドは、機械的、熱的な負担の軽減又は緩衝及び遮断のために働く。
【００２６】
勿論、本発明の上記の実施例は、基本思想から逸脱することなく、様々な点において変化され得る。従って、当該靴下は左／右靴下として形成されていてよく、クッションの形状は、図示の形状と異なっていてよい。
【図面の簡単な説明】
【００２７】
【図１】本発明による靴下の１実施例の側面図である。
【図２】種々様々な使用目的のための靴下の択一的な実施例を示した図である。
【図３】種々様々な使用目的のための靴下の択一的な実施例を示した図である。
【図４】種々様々な使用目的のための靴下の択一的な実施例を示した図である。
【図５】種々様々な使用目的のための靴下の択一的な実施例を示した図である。
【図６】種々様々な使用目的のための靴下の択一的な実施例を示した図である。
【図７】種々様々な使用目的のための靴下の択一的な実施例を示した図である。
【図８】別の実施例の、図１と同様の側面図である。
【符号の説明】
【００２８】
１  靴下、  ２  足底、  ３  空気通路、  ４  トップ、  ５  足緊締用クッション、  ６  すね用クッション、  ７  クッション、  ８  バーパッド、  ９  Ｘ形クロスバンデージ、  １０，１１  クッション又はパッド、  １２  環状バンデージ、  １３  バンデージ、  １４  斜めバンデージ
【図１】
0004617321.tif 000002
【図２】
0004617321.tif 000003
【図３】
0004617321.tif 000004
【図４】
0004617321.tif 000005
【図５】
0004617321.tif 000006
【図６】
0004617321.tif 000007
【図７】
0004617321.tif 000008
【図８】
0004617321.tif 000009